(57)【特許請求の範囲】
【請求項１】
ユーザが利用可能なコンテンツを有する電子機器と、前記ユーザが利用し、前記電子機器が有するコンテンツのリストを有する端末と、コンテンツの返却先である返却先端末と、認証情報を発行する認証サーバと、コンテンツサービス事業者が管理する権利移譲サーバと、端末情報と機器ＩＤとを対応付けて記憶するユーザ情報管理サーバと、を備えるコンテンツ権利移譲システムであって、
前記端末は、
前記返却先端末に自己の端末情報を送信するとともに、前記電子機器に、前記自己の端末情報と前記返却先端末の端末情報とを送信する第１の送信手段を備え、
前記電子機器は、
前記端末から受信した当該端末の端末情報および前記返却先端末の端末情報と、自己の機器ＩＤと、自己のアドレス情報とを前記権利移譲サーバに送信する第２の送信手段と、
前記認証サーバから受信した認証情報と、前記返却先端末から受信した認証情報と、が一致する場合に、前記返却先端末から受信した利用制御要求に応じて、自己が有するコンテンツを利用不可にする制御手段と、
を備え、
前記返却先端末は、
前記端末から受信した当該端末の端末情報と、自己の端末情報と、を前記権利移譲サーバに送信する第３の送信手段と、
前記権利移譲サーバから受信した認証情報および前記利用制御要求を前記電子機器に送信する第４の送信手段と、
を備え、
前記認証サーバは、
前記権利移譲サーバから前記電子機器のアドレス情報を受信すると、認証情報を発行する発行手段と、
前記発行された認証情報を、前記権利移譲サーバに送信するとともに、前記受信したアドレス情報に基づいて、前記電子機器に送信する第５の送信手段と、
を備え、
前記権利移譲サーバは、
前記電子機器から受信した当該電子機器のアドレス情報を、前記認証サーバに送信する第６の送信手段と、
前記認証サーバから受信した認証情報を前記返却先端末に送信する第７の送信手段と、
コンテンツＩＤと端末情報とを対応付けて記憶する貸出情報記憶手段と、
前記電子機器から受信した、前記端末の端末情報および前記返却先端末の端末情報が、前記返却先端末から受信した、前記端末の端末情報および前記返却先端末の端末情報と一致するか否かを判定する判定手段と、
前記電子機器から受信した機器ＩＤおよび前記端末の端末情報が、前記ユーザ情報管理サーバに対応付けて記憶されているか否かを判定する照会手段と、
前記判定手段で一致すると判定され、かつ、前記照会手段で記憶されていると判定された場合に、前記貸出情報記憶手段に記憶されている端末情報のうち、前記受信した端末の端末情報を削除する削除手段と、
受信したアドレス情報に基づいて、前記利用制御要求を前記電子機器に送信する第８の送信手段と、
を備えることを特徴とするコンテンツ権利移譲システム。
【請求項２】
前記端末の第１の送信手段は、
前記リストに基づいて、前記ユーザが削除するコンテンツを指定した場合に、前記指定されたコンテンツのコンテンツＩＤを前記電子機器に送信し、
前記電子機器の第２の送信手段は、受信したコンテンツＩＤを前記権利移譲サーバに送信し、
前記権利移譲サーバの削除手段は、前記判定手段で一致すると判定され、かつ、前記照会手段で記憶されていると判定された場合に、前記貸出情報記憶手段において、前記電子機器から受信したコンテンツＩＤに対応付けて記憶されている端末情報のうち、前記受信した端末の端末情報を削除することを特徴とする請求項１に記載のコンテンツ権利移譲システム。
【請求項３】
コンテンツを提供するユーザが利用可能なコンテンツを有する送信側電子機器と、前記コンテンツを提供するユーザが利用し、前記送信側電子機器が有するコンテンツのリストを有する送信端末と、前記コンテンツを受領するユーザが利用する受信側電子機器と、前記コンテンツを受領するユーザが利用する受信端末と、認証情報を発行する認証サーバと、コンテンツサービス事業者が管理する権利移譲サーバと、端末情報と機器ＩＤとを対応付けて記憶するユーザ情報管理サーバと、前記送信端末の端末情報と前記受信端末の端末情報とを対応付けて記憶する許可情報サーバと、コンテンツとコンテンツＩＤとを対応付けて記憶するコンテンツサーバと、を備えるコンテンツ権利移譲システムであって、
前記送信端末は、
前記受信端末に自己の端末情報を送信するとともに、前記送信側電子機器に、前記自己の端末情報と前記受信端末の端末情報とを送信する第１の送信手段を備え、
前記送信側電子機器は、
前記送信端末から受信した当該送信端末の端末情報および前記受信端末の端末情報と、自己の機器ＩＤと、自己のアドレス情報と、を前記権利移譲サーバに送信する第２の送信手段と、
前記認証サーバから受信した認証情報と、前記受信側電子機器から受信した認証情報と、が一致する場合に、前記受信側電子機器から受信した利用制御要求に応じて、自己が有するコンテンツを利用不可にする制御手段と、
を備え、
前記受信端末は、
前記送信端末から受信した当該送信端末の端末情報と、自己の端末情報と、を前記受信側電子機器に送信する第３の送信手段を備え、
前記受信側電子機器は、
前記受信端末から受信した前記送信端末の端末情報と、当該受信端末の端末情報と、自己の機器ＩＤと、を前記権利移譲サーバに送信する第４の送信手段と、
前記認証サーバから受信した認証情報と、前記利用制御要求と、を前記送信側電子機器に送信する第５の送信手段を備え、
前記権利移譲サーバからコンテンツをダウンロードするダウンロード手段と、
を備え、
前記認証サーバは、
前記権利移譲サーバから前記送信側電子機器のアドレス情報を受信すると、認証情報を発行する発行手段と、
前記発行された認証情報を、前記権利移譲サーバに送信するとともに、前記受信したアドレス情報に基づいて、前記送信側電子機器に送信する第６の送信手段と、
前記権利移譲サーバは、
前記送信側電子機器から受信した当該送信側電子機器のアドレス情報を、前記認証サーバに送信する第７の送信手段と、
前記認証サーバから受信した認証情報を前記受信側電子機器に送信する第８の送信手段と、
コンテンツＩＤと端末情報とを対応付けて記憶する貸出情報記憶手段と、
前記送信側電子機器から受信した、前記送信端末の端末情報および前記受信端末の端末情報が、前記受信側電子機器から受信した、前記送信端末の端末情報および前記受信端末の端末情報と一致するか否かを判定する判定手段と、
前記送信側電子機器から受信した当該送信側電子機器の機器ＩＤおよび前記送信端末の端末情報、かつ、前記受信側電子機器から受信した当該受信側電子機器の機器ＩＤおよび前記受信端末の端末情報が、前記ユーザ情報管理サーバに対応付けて記憶されているか否かを判定する第１の照会手段と、
前記受信した送信端末の端末情報および受信端末の端末情報が、前記許可情報サーバに対応付けて記憶されているか否かを判定する第２の照会手段と、
前記受信した送信端末の端末情報に基づいて、前記コンテンツサーバからコンテンツを取得する取得手段と、
前記第１および第２の照会手段で記憶されていると判定され、かつ、前記判定手段で一致すると判定された場合に、前記貸出情報記憶手段の端末情報を、前記受信した受信端末の端末情報に書き換える更新手段と、
受信したアドレス情報に基づいて、前記取得したコンテンツを前記受信側電子機器に送信するとともに、前記利用制御要求を前記送信側電子機器に送信する第９の送信手段と、
を備えることを特徴とするコンテンツ権利移譲システム。
【請求項４】
前記送信端末の第１の送信手段は、前記リストに基づいて、前記送信端末のユーザが提供するコンテンツを指定した場合に、前記指定されたコンテンツのコンテンツＩＤを前記送信側電子機器に送信し、
前記送信側電子機器の第２の送信手段は、受信したコンテンツＩＤを前記権利移譲サーバに送信し、
前記権利移譲サーバの更新手段は、前記第１の照会手段および前記第２の照会手段で記憶されていると判定され、かつ、前記判定手段で一致すると判定された場合に、前記貸出情報記憶手段において、受信したコンテンツＩＤに対応付けて記憶されている端末情報を、前記送信側電子機器または受信側電子機器から受信した前記送信端末の端末情報に更新し、
前記権利移譲サーバの取得手段は、前記受信したコンテンツＩＤに基づいて、前記コンテンツサーバからコンテンツを取得することを特徴とする請求項３に記載のコンテンツ権利移譲システム。
【請求項５】
ユーザが利用可能なコンテンツを有する電子機器と、前記ユーザが利用し、前記電子機器が有するコンテンツのリストを有する端末と、コンテンツの返却先である返却先端末と、認証情報を発行する認証サーバと、コンテンツサービス事業者が管理する権利移譲サーバと、端末情報と機器ＩＤとを対応付けて記憶するユーザ情報管理サーバと、を備えるコンテンツ権利移譲システムにおけるコンテンツ権利移譲方法であって、
前記端末が、前記返却先端末に自己の端末情報を送信するとともに、前記電子機器に、前記自己の端末情報と前記返却先端末の端末情報とを送信する第１のステップと、
前記電子機器が、前記端末から受信した当該端末の端末情報および前記返却先端末の端末情報と、自己の機器ＩＤと、自己のアドレス情報とを前記権利移譲サーバに送信する第２のステップと、
前記返却先端末が、前記端末から受信した当該端末の端末情報と、自己の端末情報と、を前記権利移譲サーバに送信する第３のステップと、
前記権利移譲サーバが、前記電子機器から受信した当該電子機器のアドレス情報を、前記認証サーバに送信する第４のステップと、
前記認証サーバが、前記権利移譲サーバから前記電子機器のアドレス情報を受信すると、認証情報を発行する第５のステップと、
前記認証サーバが、前記第５のステップで発行された認証情報を、前記権利移譲サーバに送信するとともに、前記受信したアドレス情報に基づいて、前記電子機器に送信する第６のステップと、
前記権利移譲サーバが、前記電子機器から受信した、前記端末の端末情報および前記返却先端末の端末情報が、前記返却先端末から受信した、前記端末の端末情報および前記返却先端末の端末情報と一致するか否かを判定する第７のステップと、
前記権利移譲サーバが、前記電子機器から受信した機器ＩＤおよび前記端末の端末情報が、前記ユーザ情報管理サーバに対応付けて記憶されているか否かを判定する第８のステップと、
前記権利移譲サーバが、前記第７のステップで一致すると判定され、かつ、前記第８のステップで記憶されていると判定された場合に、コンテンツＩＤと端末情報とを対応付けて記憶する貸出情報記憶手段に記憶されている端末情報のうち、前記受信した端末の端末情報を削除する第９のステップと、
前記権利移譲サーバが、前記認証サーバから受信した認証情報を前記返却先端末に送信する第１０のステップと、
前記権利移譲サーバが、前記電子機器から受信したアドレス情報に基づいて、利用制御要求を前記電子機器に送信する第１１のステップと、
前記返却先端末が、前記権利移譲サーバから受信した認証情報および前記利用制御要求を前記電子機器に送信する第１２のステップと、
前記電子機器が、前記認証サーバから受信した認証情報と、前記返却先端末から受信した認証情報と、が一致する場合に、前記返却先端末から受信した利用制御要求に応じて、自己が有するコンテンツを利用不可にする第１３のステップと、
を有することを特徴とするコンテンツ権利移譲方法。
【請求項６】
ユーザが利用可能なコンテンツを有する電子機器と、前記ユーザが利用し、前記電子機器が有するコンテンツのリストを有する端末と、コンテンツの返却先である返却先端末と、認証情報を発行する認証サーバと、コンテンツサービス事業者が管理する権利移譲サーバと、端末情報と機器ＩＤとを対応付けて記憶するユーザ情報管理サーバと、を備えるコンテンツ権利移譲システムにおけるコンテンツ権利移譲方法をコンピュータに実行させるためのプログラムであって、
前記端末が、前記返却先端末に自己の端末情報を送信するとともに、前記電子機器に、前記自己の端末情報と前記返却先端末の端末情報とを送信する第１のステップと、
前記電子機器が、前記端末から受信した当該端末の端末情報および前記返却先端末の端末情報と、自己の機器ＩＤと、自己のアドレス情報とを前記権利移譲サーバに送信する第２のステップと、
前記返却先端末が、前記端末から受信した当該端末の端末情報と、自己の端末情報と、を前記権利移譲サーバに送信する第３のステップと、
前記権利移譲サーバが、前記電子機器から受信した当該電子機器のアドレス情報を、前記認証サーバに送信する第４のステップと、
前記認証サーバが、前記権利移譲サーバから前記電子機器のアドレス情報を受信すると、認証情報を発行する第５のステップと、
前記認証サーバが、前記第５のステップで発行された認証情報を、前記権利移譲サーバに送信するとともに、前記受信したアドレス情報に基づいて、前記電子機器に送信する第６のステップと、
前記権利移譲サーバが、前記電子機器から受信した、前記端末の端末情報および前記返却先端末の端末情報が、前記返却先端末から受信した、前記端末の端末情報および前記返却先端末の端末情報と一致するか否かを判定する第７のステップと、
前記権利移譲サーバが、前記電子機器から受信した機器ＩＤおよび前記端末の端末情報が、前記ユーザ情報管理サーバに対応付けて記憶されているか否かを判定する第８のステップと、
前記権利移譲サーバが、前記第７のステップで一致すると判定され、かつ、前記第８のステップで記憶されていると判定された場合に、コンテンツＩＤと端末情報とを対応付けて記憶する貸出情報記憶手段に記憶されている端末情報のうち、前記受信した端末の端末情報を削除する第９のステップと、
前記権利移譲サーバが、前記認証サーバから受信した認証情報を前記返却先端末に送信する第１０のステップと、
前記権利移譲サーバが、前記電子機器から受信したアドレス情報に基づいて、利用制御要求を前記電子機器に送信する第１１のステップと、
前記返却先端末が、前記権利移譲サーバから受信した認証情報および前記利用制御要求を前記電子機器に送信する第１２のステップと、
前記電子機器が、前記認証サーバから受信した認証情報と、前記返却先端末から受信した認証情報と、が一致する場合に、前記返却先端末から受信した利用制御要求に応じて、自己が有するコンテンツを利用不可にする第１３のステップと、
をコンピュータに実行させるためのプログラム。
【請求項７】
コンテンツを提供するユーザが利用可能なコンテンツを有する送信側電子機器と、前記コンテンツを提供するユーザが利用し、前記送信側電子機器が有するコンテンツのリストを有する送信端末と、前記コンテンツを受領するユーザが利用する受信側電子機器と、前記コンテンツを受領するユーザが利用する受信端末と、認証情報を発行する認証サーバと、コンテンツサービス事業者が管理する権利移譲サーバと、端末情報と機器ＩＤとを対応付けて記憶するユーザ情報管理サーバと、前記送信端末の端末情報と前記受信端末の端末情報とを対応付けて記憶する許可情報サーバと、コンテンツとコンテンツＩＤとを対応付けて記憶するコンテンツサーバと、を備えるコンテンツ権利移譲システムにおけるコンテンツ権利移譲方法であって、
前記送信端末が、前記受信端末に自己の端末情報を送信するとともに、前記送信側電子機器に、前記自己の端末情報と前記受信端末の端末情報とを送信する第１のステップと、
前記送信側電子機器が、前記送信端末から受信した当該送信端末の端末情報および前記受信端末の端末情報と、自己の機器ＩＤと、自己のアドレス情報と、を前記権利移譲サーバに送信する第２のステップと、
前記受信端末が、前記送信端末から受信した当該送信端末の端末情報と、自己の端末情報と、を前記受信側電子機器に送信する第３のステップを備え、
前記受信側電子機器が、前記受信端末から受信した前記送信端末の端末情報および当該受信端末の端末情報を前記権利移譲サーバに送信する第４のステップと、
前記権利移譲サーバが、前記送信側電子機器から受信した当該送信側電子機器のアドレス情報を、前記認証サーバに送信する第５のステップと、
前記認証サーバが、前記権利移譲サーバから前記送信側電子機器のアドレス情報を受信すると、認証情報を発行する第６のステップと、
前記認証サーバが、前記第６のステップで発行された認証情報を、前記権利移譲サーバに送信するとともに、前記受信したアドレス情報に基づいて、前記送信側電子機器に送信する第７のステップと、
前記権利移譲サーバが、前記送信側電子機器から受信した、前記送信端末の端末情報および前記受信端末の端末情報が、前記受信側電子機器から受信した、前記送信端末の端末情報および前記受信端末の端末情報と一致するか否かを判定する第８のステップと、
前記権利移譲サーバが、前記送信側電子機器から受信した当該送信側電子機器の機器ＩＤおよび前記送信端末の端末情報、かつ、前記受信側電子機器から受信した当該受信側電子機器の機器ＩＤおよび前記受信端末の端末情報が、前記ユーザ情報管理サーバに対応付けて記憶されているか否かを判定する第９のステップと、
前記権利移譲サーバが、前記受信した送信端末の端末情報および受信端末の端末情報が、前記許可情報サーバに対応付けて記憶されているか否かを判定する第１０のステップと、
前記権利移譲サーバが、前記第８のステップで一致すると判定され、かつ、前記第９のステップおよび第１０のステップで記憶されていると判定された場合に、コンテンツＩＤと端末情報とを対応付けて記憶する貸出情報記憶手段の端末情報を、前記受信した受信端末の端末情報に書き換える第１１のステップと、
前記権利移譲サーバが、前記受信した送信端末の端末情報に基づいて、前記コンテンツサーバからコンテンツを取得する第１２のステップと、
前記権利移譲サーバが、前記認証サーバから受信した認証情報および前記第１２のステップで取得したコンテンツを、前記受信側電子機器に送信する第１３のステップと、
前記受信側電子機器が、前記権利移譲サーバからコンテンツをダウンロードする第１４のステップと、
前記受信側電子機器が、前記認証サーバから受信した認証情報および利用制御要求、を前記送信側電子機器に送信する第１５のステップと、
前記送信側電子機器が、前記認証サーバから受信した認証情報と、前記受信側電子機器から受信した認証情報とが一致する場合に、前記受信側電子機器から受信した利用制御要求に応じて、自己が有するコンテンツを利用不可にする第１６のステップと、
を有することを特徴とするコンテンツ権利移譲方法。
【請求項８】
コンテンツを提供するユーザが利用可能なコンテンツを有する送信側電子機器と、前記コンテンツを提供するユーザが利用し、前記送信側電子機器が有するコンテンツのリストを有する送信端末と、前記コンテンツを受領するユーザが利用する受信側電子機器と、前記コンテンツを受領するユーザが利用する受信端末と、認証情報を発行する認証サーバと、コンテンツサービス事業者が管理する権利移譲サーバと、端末情報と機器ＩＤとを対応付けて記憶するユーザ情報管理サーバと、前記送信端末の端末情報と前記受信端末の端末情報とを対応付けて記憶する許可情報サーバと、コンテンツとコンテンツＩＤとを対応付けて記憶するコンテンツサーバと、を備えるコンテンツ権利移譲システムにおけるコンテンツ権利移譲方法をコンピュータに実行させるためのプログラムであって、
前記送信端末が、前記受信端末に自己の端末情報を送信するとともに、前記送信側電子機器に、前記自己の端末情報と前記受信端末の端末情報とを送信する第１のステップと、
前記送信側電子機器が、前記送信端末から受信した当該送信端末の端末情報および前記受信端末の端末情報と、自己の機器ＩＤと、自己のアドレス情報と、を前記権利移譲サーバに送信する第２のステップと、
前記受信端末が、前記送信端末から受信した当該送信端末の端末情報と、自己の端末情報と、を前記受信側電子機器に送信する第３のステップを備え、
前記受信側電子機器が、前記受信端末から受信した前記送信端末の端末情報および当該受信端末の端末情報を前記権利移譲サーバに送信する第４のステップと、
前記権利移譲サーバが、前記送信側電子機器から受信した当該送信側電子機器のアドレス情報を、前記認証サーバに送信する第５のステップと、
前記認証サーバが、前記権利移譲サーバから前記送信側電子機器のアドレス情報を受信すると、認証情報を発行する第６のステップと、
前記認証サーバが、前記第６のステップで発行された認証情報を、前記権利移譲サーバに送信するとともに、前記受信したアドレス情報に基づいて、前記送信側電子機器に送信する第７のステップと、
前記権利移譲サーバが、前記送信側電子機器から受信した、前記送信端末の端末情報および前記受信端末の端末情報が、前記受信側電子機器から受信した、前記送信端末の端末情報および前記受信端末の端末情報と一致するか否かを判定する第８のステップと、
前記権利移譲サーバが、前記送信側電子機器から受信した当該送信側電子機器の機器ＩＤおよび前記送信端末の端末情報、かつ、前記受信側電子機器から受信した当該受信側電子機器の機器ＩＤおよび前記受信端末の端末情報が、前記ユーザ情報管理サーバに対応付けて記憶されているか否かを判定する第９のステップと、
前記権利移譲サーバが、前記受信した送信端末の端末情報および受信端末の端末情報が、前記許可情報サーバに対応付けて記憶されているか否かを判定する第１０のステップと、
前記権利移譲サーバが、前記第８のステップで一致すると判定され、かつ、前記第９のステップおよび第１０のステップで記憶されていると判定された場合に、コンテンツＩＤと端末情報とを対応付けて記憶する貸出情報記憶手段の端末情報を、前記受信した受信端末の端末情報に書き換える第１１のステップと、
前記権利移譲サーバが、前記受信した送信端末の端末情報に基づいて、前記コンテンツサーバからコンテンツを取得する第１２のステップと、
前記権利移譲サーバが、前記認証サーバから受信した認証情報および前記第１２のステップで取得したコンテンツを、前記受信側電子機器に送信する第１３のステップと、
前記受信側電子機器が、前記権利移譲サーバからコンテンツをダウンロードする第１４のステップと、
前記受信側電子機器が、前記認証サーバから受信した認証情報および利用制御要求、を前記送信側電子機器に送信する第１５のステップと、
前記送信側電子機器が、前記認証サーバから受信した認証情報と、前記受信側電子機器から受信した認証情報とが一致する場合に、前記受信側電子機器から受信した利用制御要求に応じて、自己が有するコンテンツを利用不可にする第１６のステップと、
をコンピュータに実行させるためのプログラム。
【発明の詳細な説明】
【技術分野】
【０００１】
本発明は、コンテンツ権利移譲システム、および方法であって、特に、端末が通信を開始したことを契機として、コンテンツの権利を移譲するコンテンツ権利移譲システム、および方法に関する。
【背景技術】
【０００２】
近年、書籍、音楽、動画などのコンテンツがデジタル化され流通するようになったことにより、ユーザは簡単にコンテンツを取得し、楽しむことができるようになった。しかし、このようにコンテンツを簡単に取得し、利用できるようになった半面、コンテンツが不正にコピーされ、不正にコピーされたコンテンツが流通しているといった問題点があった。
【０００３】
そこで、上記問題点を解消するシステムとして、デジタル化された書籍などのコンテンツが記録された図書館サーバと、コンテンツの貸出依頼があったときに、貸出期限情報を含む時限鍵を生成し、コンテンツを時限鍵で暗号化し、時限鍵によって暗号化されたコンテンツと時限鍵とを共に秘密鍵で暗号化する暗号鍵生成装置と、暗号鍵生成装置から出力された暗号化信号が記録される記録媒体と、記録媒体に記録された暗号化情報を復号化し、コンテンツを閲覧可能とする閲覧装置とを備える時間期限付き貸与システムが知られている（例えば、特許文献１参照。）。
【先行技術文献】
【特許文献】
【０００４】
【特許文献１】特開２００５−０２５４３８号公報
【発明の概要】
【発明が解決しようとする課題】
【０００５】
特許文献１に開示されたシステムでは、コンテンツを貸与することはできるが、コンテンツを利用する権利を移譲することや、コンテンツを利用する権利を管理することはできないという問題点があった。
【０００６】
また、特許文献１に開示されたシステムでは、コンテンツを他のユーザに貸す（又貸しする）といった、ユーザ同士におけるコンテンツの交換ができないため、コンテンツの流通拡大を妨げるといった問題点もあった。
【０００７】
そこで、本発明は、上述の課題に鑑みてなされたものであり、端末が通信を開始したことを契機とした、コンテンツの権利移譲を可能とする権利移譲システム、および方法を提供することを目的とする。また、ユーザ同士のコンテンツの権利移譲を可能とすることを目的とする。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、ユーザが利用可能なコンテンツを有する電子機器（例えば、図５の電子機器２２に相当）と、前記ユーザが利用し、前記電子機器が有するコンテンツのリストを有する端末（例えば、図５の端末１１に相当）と、コンテンツの返却先である返却先端末（例えば、図５の返却先端末７０に相当）と、認証情報を発行する認証サーバと、コンテンツサービス事業者が管理する権利移譲サーバ（例えば、図５の権利移譲サーバ３２に相当）と、端末情報と機器ＩＤとを対応付けて記憶するユーザ情報管理サーバ（例えば、図５のユーザ情報管理サーバ４０に相当）と、を備えるコンテンツ権利移譲システムであって、前記端末は、前記返却先端末に自己の端末情報を送信するとともに、前記電子機器に、前記自己の端末情報と前記返却先端末の端末情報とを送信する第１の送信手段を備え、前記電子機器は、前記端末から受信した当該端末の端末情報および前記返却先端末の端末情報と、自己の機器ＩＤと、自己のアドレス情報とを前記権利移譲サーバに送信する第２の送信手段と、前記認証サーバから受信した認証情報と、前記返却先端末から受信した認証情報と、が一致する場合に、前記返却先端末から受信した利用制御要求に応じて、自己が有するコンテンツを利用不可にする制御手段と、を備え、前記返却先端末は、前記端末から受信した当該端末の端末情報と、自己の端末情報と、を前記権利移譲サーバに送信する第３の送信手段と、前記権利移譲サーバから受信した認証情報および前記利用制御要求を前記電子機器に送信する第４の送信手段と、を備え、前記認証サーバは、前記権利移譲サーバから前記電子機器のアドレス情報を受信すると、認証情報を発行する発行手段と、前記発行された認証情報を、前記権利移譲サーバに送信するとともに、前記受信したアドレス情報に基づいて、前記電子機器に送信する第５の送信手段と、を備え、前記権利移譲サーバは、前記電子機器から受信した当該電子機器のアドレス情報を、前記認証サーバに送信する第６の送信手段と、前記認証サーバから受信した認証情報を前記返却先端末に送信する第７の送信手段と、コンテンツＩＤと端末情報とを対応付けて記憶する貸出情報記憶手段（例えば、図６の貸出情報記憶部３０４に相当）と、前記電子機器から受信した、前記端末の端末情報および前記返却先端末の端末情報が、前記返却先端末から受信した、前記端末の端末情報および前記返却先端末の端末情報と一致するか否かを判定する判定手段（例えば、図６の判定部３０７に相当）と、前記電子機器から受信した機器ＩＤおよび前記端末の端末情報が、前記ユーザ情報管理サーバに対応付けて記憶されているか否かを判定する照会手段（例えば、図６の機器照会部３０１に相当）と、前記判定手段で一致すると判定され、かつ、前記照会手段で記憶されていると判定された場合に、前記貸出情報記憶手段に記憶されている端末情報のうち、前記受信した端末の端末情報を削除する削除手段（例えば、図６の削除部３０８に相当）と、受信したアドレス情報に基づいて、前記利用制御要求を前記電子機器に送信する第８の送信手段（例えば、図６の利用制限要求部３０９に相当）と、を備えることを特徴とするコンテンツ権利移譲システムを提案している。
【００１０】
この発明によれば、端末の第１の送信手段は、返却先端末に自己の端末情報を送信するとともに、電子機器に、自己の端末情報と返却先端末の端末情報を送信する。電子機器の第２の送信手段は、端末から受信した端末の端末情報および返却先端末の端末情報と、自己の機器ＩＤと、自己のアドレス情報とを権利移譲サーバに送信する。電子機器の制御手段は、認証サーバから受信した認証情報と、返却先端末から受信した認証情報と、が一致する場合に、返却先端末から受信した利用制御要求に応じて、自己が有するコンテンツを利用不可にする。返却先端末の第３の送信手段は、端末から受信した端末の端末情報と、自己の端末情報と、を権利移譲サーバに送信する。返却先端末の第４の送信手段は、前記権利移譲サーバから受信した認証情報および利用制御要求を電子機器に送信する。前記認証サーバの発行手段は、権利移譲サーバから電子機器のアドレス情報を受信すると、認証情報を発行する。認証サーバの第５の送信手段は、発行された認証情報を、権利移譲サーバに送信するとともに、受信したアドレス情報に基づいて、電子機器に送信する。権利移譲サーバの第６の送信手段は、電子機器から受信した受信したアドレス情報を、認証サーバに送信する。権利移譲サーバの第７の送信手段は、認証サーバから受信した認証情報を返却先端末に送信する。権利移譲サーバの貸出情報記憶手段は、コンテンツＩＤと端末情報とを対応付けて記憶する。権利移譲サーバの判定手段は、電子機器から受信した、端末の端末情報および返却先端末の端末情報が、返却先端末から受信した、端末の端末情報および返却先端末の端末情報と一致するか否かを判定する。権利移譲サーバの照会手段は、電子機器から受信した機器ＩＤおよび端末の端末情報が、ユーザ情報管理サーバに対応付けて記憶されているか否かを判定する。権利移譲サーバの削除手段は、判定手段で一致すると判定され、かつ、照会手段で記憶されていると判定された場合に、貸出情報記憶手段に記憶されている端末情報のうち、受信した端末の端末情報を削除する。権利移譲サーバの第８の送信手段は、受信したアドレス情報に基づいて、利用制御要求を電子機器に送信する。したがって、端末からコンテンツ返却先の返却先端末への通信を契機として、コンテンツの権利を、ユーザからコンテンツ返却先に移譲し、権利を移譲したコンテンツを電子機器において利用できなくする際に、端末と返却先端末との通信により伝送される情報による本人確認と、電子機器がコンテンツを利用不可にする際に行う認証情報による端末確認と、の両方によって、より強固なセキュリティを確保し、コンテンツが不正に利用不可にされることを防止することができる。
【００１１】
（２）本発明は、（１）のコンテンツ権利移譲システムについて、前記端末の第１の送信手段は、前記リストに基づいて、前記ユーザが削除するコンテンツを指定した場合に、前記指定されたコンテンツのコンテンツＩＤを前記電子機器に送信し、前記電子機器の第２の送信手段は、受信したコンテンツＩＤを前記権利移譲サーバに送信し、前記権利移譲サーバの削除手段は、前記判定手段で一致すると判定され、かつ、前記照会手段で記憶されていると判定された場合に、前記貸出情報記憶手段において、前記電子機器から受信したコンテンツＩＤに対応付けて記憶されている端末情報のうち、前記受信した端末の端末情報を削除することを特徴とするコンテンツ権利移譲システムを提案している。
【００１２】
この発明によれば、端末の第１の送信手段は、リストに基づいて、ユーザが削除するコンテンツを指定した場合に、指定されたコンテンツのコンテンツＩＤを電子機器に送信する。電子機器の第２の送信手段は、受信したコンテンツＩＤを権利移譲サーバに送信する。権利移譲サーバの削除手段は、判定手段で一致すると判定され、かつ、照会手段で記憶されていると判定された場合に、貸出情報記憶手段において、電子機器から受信したコンテンツＩＤに対応付けて記憶されている端末情報のうち、受信した端末の端末情報を削除する。したがって、ユーザは、電子機器が有するコンテンツの中から、コンテンツ返却先に権利を移譲するコンテンツを指定することができる。
【００１３】
（３）本発明は、コンテンツを提供するユーザが利用可能なコンテンツを有する送信側電子機器（例えば、図８の送信側電子機器２３に相当）と、前記コンテンツを提供するユーザが利用し、前記送信側電子機器が有するコンテンツのリストを有する送信端末（例えば、図８の送信端末１２に相当）と、前記コンテンツを受領するユーザが利用する受信側電子機器（例えば、図８の受信側電子機器２４に相当）と、前記コンテンツを受領するユーザが利用する受信端末（例えば、図８の受信端末７１に相当）と、認証情報を発行する認証サーバと、コンテンツサービス事業者が管理する権利移譲サーバ（例えば、図８の権利移譲サーバ３３に相当）と、端末情報と機器ＩＤとを対応付けて記憶するユーザ情報管理サーバ（例えば、図８のユーザ情報管理サーバ４０に相当）と、前記送信端末の端末情報と前記受信端末の端末情報とを対応付けて記憶する許可情報サーバ（例えば、図８の許可情報サーバ８０に相当）と、コンテンツとコンテンツＩＤとを対応付けて記憶するコンテンツサーバ（例えば、図８のコンテンツサーバ５０に相当）と、を備えるコンテンツ権利移譲システムであって、前記送信端末は、前記受信端末に自己の端末情報を送信するとともに、前記送信側電子機器に、前記自己の端末情報と前記受信端末の端末情報とを送信する第１の送信手段を備え、前記送信側電子機器は、前記送信端末から受信した当該送信端末の端末情報および前記受信端末の端末情報と、自己の機器ＩＤと、自己のアドレス情報と、を前記権利移譲サーバに送信する第２の送信手段と、前記認証サーバから受信した認証情報と、前記受信側電子機器から受信した認証情報と、が一致する場合に、前記受信側電子機器から受信した利用制御要求に応じて、自己が有するコンテンツを利用不可にする制御手段と、を備え、前記受信端末は、前記送信端末から受信した当該送信端末の端末情報と、自己の端末情報と、を前記受信側電子機器に送信する第３の送信手段を備え、前記受信側電子機器は、前記受信端末から受信した前記送信端末の端末情報および当該受信端末の端末情報を前記権利移譲サーバに送信する第４の送信手段と、前記認証サーバから受信した認証情報と、前記利用制御要求と、を前記送信側電子機器に送信する第５の送信手段を備え、前記権利移譲サーバからコンテンツをダウンロードするダウンロード手段と、を備え、前記認証サーバは、前記権利移譲サーバから前記送信側電子機器のアドレス情報を受信すると、認証情報を発行する発行手段と、前記発行された認証情報を、前記権利移譲サーバに送信するとともに、前記受信したアドレス情報に基づいて、前記送信側電子機器に送信する第６の送信手段と、前記権利移譲サーバは、前記送信側電子機器から受信した当該送信側電子機器のアドレス情報を、前記認証サーバに送信する第７の送信手段と、前記認証サーバから受信した認証情報を前記受信側電子機器に送信する第８の送信手段と、コンテンツＩＤと端末情報とを対応付けて記憶する貸出情報記憶手段（例えば、図９の貸出情報記憶部３０４に相当）と、前記送信側電子機器から受信した、前記送信端末の端末情報および前記受信端末の端末情報が、前記受信側電子機器から受信した、前記送信端末の端末情報および前記受信端末の端末情報と一致するか否かを判定する判定手段（例えば、図９の判定部３０７に相当）と、前記送信側電子機器から受信した当該送信側電子機器の機器ＩＤおよび前記送信端末の端末情報、かつ、前記受信側電子機器から受信した当該受信側電子機器の機器ＩＤおよび前記受信端末の端末情報が、前記ユーザ情報管理サーバに対応付けて記憶されているか否かを判定する第１の照会手段（例えば、図９の機器照会部３１０に相当）と、前記送信側電子機器から受信した前記送信端末の端末情報および前記受信端末の端末情報が、前記許可情報サーバに対応付けて記憶されているか否かを判定する第２の照会手段（例えば、図９の許可情報照会部３１１に相当）と、前記受信した送信端末の端末情報に基づいて、前記コンテンツサーバからコンテンツを取得する取得手段（例えば、図９の取得部３１２に相当）と、前記第１および第２の照会手段で記憶されていると判定され、かつ、前記判定手段で一致すると判定された場合に、前記貸出情報記憶手段の端末情報を、前記送信側電子機器または受信側電子機器から受信した前記受信端末の端末情報に書き換える更新手段（例えば、図９の更新部３１３に相当）と、受信したアドレス情報に基づいて、前記取得したコンテンツを前記受信側電子機器に送信するとともに、前記利用制御要求を前記送信側電子機器に送信する第９の送信手段（例えば、図９の利用制御要求部３０９に相当）と、を備えることを特徴とするコンテンツ権利移譲システムを提案している。
【００１４】
この発明によれば、送信端末の第１の送信手段は、受信端末に自己の端末情報を送信するとともに、送信側電子機器に、自己の端末情報と受信端末の端末情報とを送信する。送信側電子機器の第２の送信手段は、送信端末から受信した送信端末の端末情報および受信端末の端末情報と、自己の機器ＩＤと、自己のアドレス情報と、を権利移譲サーバに送信する。送信側電子機器の制御手段は、認証サーバから受信した認証情報と、受信側電子機器から受信した認証情報と、が一致する場合に、受信側電子機器から受信した利用制御要求に応じて、自己が有するコンテンツを利用不可にする。受信端末の第３の送信手段は、送信端末から受信した送信端末の端末情報と、自己の端末情報と、を受信側電子機器に送信する。受信側電子機器の第４の送信手段は、受信端末から受信した送信端末の端末情報および受信端末の端末情報を権利移譲サーバに送信する。受信側電子機器の第５の送信手段は、認証サーバから受信した認証情報と、利用制御要求と、を送信側電子機器に送信する。受信側電子機器のダウンロード手段は、権利移譲サーバからコンテンツをダウンロードする。認証サーバの発行手段は、権利移譲サーバから送信側電子機器のアドレス情報を受信すると、認証情報を発行する。認証サーバの第６の送信手段は、発行された認証情報を、権利移譲サーバに送信するとともに、受信したアドレス情報に基づいて、送信側電子機器に送信する。権利移譲サーバの第７の送信手段は、送信側電子機器から受信した送信側電子機器のアドレス情報を、認証サーバに送信する。権利移譲サーバの第８の送信手段は、認証サーバから受信した認証情報を受信側電子機器に送信する。権利移譲サーバの貸出情報記憶手段は、コンテンツＩＤと端末情報とを対応付けて記憶する。権利移譲サーバの判定手段は、送信側電子機器から受信した、送信端末の端末情報および受信端末の端末情報が、受信側電子機器から受信した、送信端末の端末情報および受信端末の端末情報と一致するか否かを判定する。権利移譲サーバの第１の照会手段は、送信側電子機器の機器ＩＤおよび送信端末の端末情報、かつ、受信側電子機器から受信した受信側電子機器の機器ＩＤおよび受信端末の端末情報が、ユーザ情報管理サーバに対応付けて記憶されているか否かを判定する。権利移譲サーバの第２の照会手段は、送信側電子機器から受信した送信端末の端末情報および受信端末の端末情報が、許可情報サーバに対応付けて記憶されているか否かを判定する。権利移譲サーバの取得手段は、受信した送信端末の端末情報に基づいて、コンテンツサーバからコンテンツを取得する。権利移譲サーバの更新手段は、第１および第２の照会手段で記憶されていると判定され、かつ、判定手段で一致すると判定された場合に、貸出情報記憶手段の端末情報を、送信側電子機器または受信側電子機器から受信した受信端末の端末情報に書き換える。権利移譲サーバの第９の送信手段は、受信したアドレス情報に基づいて、取得したコンテンツを受信側電子機器に送信するとともに、利用制御要求を送信側電子機器に送信する。したがって、送信端末から受信端末への通信を契機として、コンテンツの権利をユーザ間で移譲し、コンテンツを受領するユーザ電子機器である受領側電子機器に、権利が移譲されたコンテンツをダウンロードする際に、送信端末と受信端末との通信で伝送される情報による本人確認と、送信側電子機器がコンテンツを利用不可にする際に行う認証情報による端末確認と、の両方によって、より強固なセキュリティを確保し、コンテンツが不正に利用不可にされることを防止することができる。
【００１５】
（４）本発明は、（３）のコンテンツ権利移譲システムについて、前記送信端末の第１の送信手段は、前記リストに基づいて、前記送信端末のユーザが提供するコンテンツを指定した場合に、前記指定されたコンテンツのコンテンツＩＤを前記送信側電子機器に送信し、前記送信側電子機器の第２の送信手段は、受信したコンテンツＩＤを前記権利移譲サーバに送信し、前記権利移譲サーバの更新手段は、前記第１および第２の照会手段で記憶されていると判定され、かつ、前記判定手段で一致すると判定された場合に、前記貸出情報記憶手段において、受信したコンテンツＩＤに対応付けて記憶されている端末情報を、前記送信側電子機器または受信側電子機器から受信した前記送信端末の端末情報に更新し、前記権利移譲サーバの取得手段は、前記受信したコンテンツＩＤに基づいて、前記コンテンツサーバからコンテンツを取得することを特徴とするコンテンツ権利移譲システムを提案している。
【００１６】
この発明によれば、送信端末の第１の送信手段は、リストに基づいて、送信端末のユーザが提供するコンテンツを指定した場合に、指定されたコンテンツのコンテンツＩＤを送信側電子機器に送信する。送信側電子機器の第２の送信手段は、受信したコンテンツＩＤを権利移譲サーバに送信する。権利移譲サーバの更新手段は、第１および第２の照会手段で記憶されていると判定され、かつ、判定手段で一致すると判定された場合に、貸出情報記憶手段において、受信したコンテンツＩＤに対応付けて記憶されている端末情報を、送信側電子機器または受信側電子機器から受信した送信端末の端末情報に更新する。権利移譲サーバの取得手段は、受信したコンテンツＩＤに基づいて、コンテンツサーバからコンテンツを取得する。したがって、送信端末（送信側電子機器）のユーザ、すなわちコンテンツを提供するユーザは、送信側電子機器が有するコンテンツの中から、コンテンツを受領する受信側電子機器のユーザに権利を移譲するコンテンツを指定することができる。
【００１７】
（５）本発明は、ユーザが利用可能なコンテンツを有する電子機器と、前記ユーザが利用し、前記電子機器が有するコンテンツのリストを有する端末と、コンテンツの返却先である返却先端末と、認証情報を発行する認証サーバと、コンテンツサービス事業者が管理する権利移譲サーバと、端末情報と機器ＩＤとを対応付けて記憶するユーザ情報管理サーバと、を備えるコンテンツ権利移譲システムにおけるコンテンツ権利移譲方法であって、前記端末が、前記返却先端末に自己の端末情報を送信するとともに、前記電子機器に、前記自己の端末情報と前記返却先端末の端末情報とを送信する第１のステップと、前記電子機器が、前記端末から受信した当該端末の端末情報および前記返却先端末の端末情報と、自己の機器ＩＤと、自己のアドレス情報とを前記権利移譲サーバに送信する第２のステップと、前記返却先端末が、前記端末から受信した当該端末の端末情報と、自己の端末情報と、を前記権利移譲サーバに送信する第３のステップと、前記権利移譲サーバが、前記電子機器から受信した当該電子機器のアドレス情報を、前記認証サーバに送信する第４のステップと、前記認証サーバが、前記権利移譲サーバから前記電子機器のアドレス情報を受信すると、認証情報を発行する第５のステップと、前記認証サーバが、前記第５のステップで発行された認証情報を、前記権利移譲サーバに送信するとともに、前記受信したアドレス情報に基づいて、前記電子機器に送信する第６のステップと、前記権利移譲サーバが、前記電子機器から受信した、前記端末の端末情報および前記返却先端末の端末情報が、前記返却先端末から受信した、前記端末の端末情報および前記返却先端末の端末情報と一致するか否かを判定する第７のステップと、前記権利移譲サーバが、前記電子機器から受信した機器ＩＤおよび前記端末の端末情報が、前記ユーザ情報管理サーバに対応付けて記憶されているか否かを判定する第８のステップと、前記権利移譲サーバが、前記第７のステップで一致すると判定され、かつ、前記第８のステップで記憶されていると判定された場合に、コンテンツＩＤと端末情報とを対応付けて記憶する貸出情報記憶手段に記憶されている端末情報のうち、前記受信した端末の端末情報を削除する第９のステップと、前記権利移譲サーバが、前記認証サーバから受信した認証情報を前記返却先端末に送信する第１０のステップと、前記権利移譲サーバが、前記電子機器から受信したアドレス情報に基づいて、利用制御要求を前記電子機器に送信する第１１のステップと、前記返却先端末が、前記権利移譲サーバから受信した認証情報および前記利用制御要求を前記電子機器に送信する第１２のステップと、前記電子機器が、前記認証サーバから受信した認証情報と、前記返却先端末から受信した認証情報と、が一致する場合に、前記返却先端末から受信した利用制御要求に応じて、自己が有するコンテンツを利用不可にする第１３のステップと、を有することを特徴とするコンテンツ権利移譲方法を提案している。
【００１８】
この発明によれば、まず、第１のステップにおいて、端末が、返却先端末に自己の端末情報を送信するとともに、電子機器に、自己の端末情報と返却先端末の端末情報とを送信する。次に、第２のステップにおいて、電子機器が、端末から受信した端末の端末情報および返却先端末の端末情報と、自己の機器ＩＤと、自己のアドレス情報とを権利移譲サーバに送信する。次に、第３のステップにおいて、返却先端末が、端末から受信した端末の端末情報と、自己の端末情報と、を権利移譲サーバに送信する。次に、第４のステップにおいて、権利移譲サーバが、電子機器から受信した電子機器のアドレス情報を、認証サーバに送信する。次に、第５のステップにおいて、認証サーバが、権利移譲サーバから電子機器のアドレス情報を受信すると、認証情報を発行する。次に、第６のステップにおいて、認証サーバが、第５のステップで発行された認証情報を、権利移譲サーバに送信するとともに、受信したアドレス情報に基づいて、電子機器に送信する。次に、第７のステップにおいて、権利移譲サーバが、電子機器から受信した、端末の端末情報および返却先端末の端末情報が、返却先端末から受信した、端末の端末情報および返却先端末の端末情報と一致するか否かを判定する。次に、第８のステップにおいて、権利移譲サーバが、電子機器から受信した機器ＩＤおよび端末の端末情報が、ユーザ情報管理サーバに対応付けて記憶されているか否かを判定する。次に、第９のステップにおいて、権利移譲サーバが、第７のステップで一致すると判定され、かつ、第８のステップで記憶されていると判定された場合に、コンテンツＩＤと端末情報とを対応付けて記憶する貸出情報記憶手段に記憶されている端末情報のうち、受信した端末の端末情報を削除する。次に、第１０のステップにおいて、権利移譲サーバが、認証サーバから受信した認証情報を返却先端末に送信する。次に、第１１のステップにおいて、権利移譲サーバが、電子機器から受信したアドレス情報に基づいて、利用制御要求を電子機器に送信する。次に、第１２のステップにおいて、返却先端末が、権利移譲サーバから受信した認証情報および利用制御要求を電子機器に送信する。次に、第１２のステップにおいて、電子機器が、認証サーバから受信した認証情報と、返却先端末から受信した認証情報と、が一致する場合に、返却先端末から受信した利用制御要求に応じて、自己が有するコンテンツを利用不可にする。したがって、端末からコンテンツ返却先の返却先端末への通信を契機として、コンテンツの権利を、ユーザからコンテンツ返却先に移譲し、権利を移譲したコンテンツを電子機器において利用できなくする際に、端末と返却先端末との通信により伝送される情報による本人確認と、電子機器がコンテンツを利用不可にする際に行う認証情報による端末確認と、の両方によって、より強固なセキュリティを確保し、コンテンツが不正に利用不可にされることを防止することができる。
【００１９】
（６）本発明は、ユーザが利用可能なコンテンツを有する電子機器と、前記ユーザが利用し、前記電子機器が有するコンテンツのリストを有する端末と、コンテンツの返却先である返却先端末と、認証情報を発行する認証サーバと、コンテンツサービス事業者が管理する権利移譲サーバと、端末情報と機器ＩＤとを対応付けて記憶するユーザ情報管理サーバと、を備えるコンテンツ権利移譲システムにおけるコンテンツ権利移譲方法をコンピュータに実行させるためのプログラムであって、前記端末が、前記返却先端末に自己の端末情報を送信するとともに、前記電子機器に、前記自己の端末情報と前記返却先端末の端末情報とを送信する第１のステップと、前記電子機器が、前記端末から受信した当該端末の端末情報および前記返却先端末の端末情報と、自己の機器ＩＤと、自己のアドレス情報とを前記権利移譲サーバに送信する第２のステップと、前記返却先端末が、前記端末から受信した当該端末の端末情報と、自己の端末情報と、を前記権利移譲サーバに送信する第３のステップと、前記権利移譲サーバが、前記電子機器から受信した当該電子機器のアドレス情報を、前記認証サーバに送信する第４のステップと、前記認証サーバが、前記権利移譲サーバから前記電子機器のアドレス情報を受信すると、認証情報を発行する第５のステップと、前記認証サーバが、前記第５のステップで発行された認証情報を、前記権利移譲サーバに送信するとともに、前記受信したアドレス情報に基づいて、前記電子機器に送信する第６のステップと、前記権利移譲サーバが、前記電子機器から受信した、前記端末の端末情報および前記返却先端末の端末情報が、前記返却先端末から受信した、前記端末の端末情報および前記返却先端末の端末情報と一致するか否かを判定する第７のステップと、前記権利移譲サーバが、前記電子機器から受信した機器ＩＤおよび前記端末の端末情報が、前記ユーザ情報管理サーバに対応付けて記憶されているか否かを判定する第８のステップと、前記権利移譲サーバが、前記第７のステップで一致すると判定され、かつ、前記第８のステップで記憶されていると判定された場合に、コンテンツＩＤと端末情報とを対応付けて記憶する貸出情報記憶手段に記憶されている端末情報のうち、前記受信した端末の端末情報を削除する第９のステップと、前記権利移譲サーバが、前記認証サーバから受信した認証情報を前記返却先端末に送信する第１０のステップと、前記権利移譲サーバが、前記電子機器から受信したアドレス情報に基づいて、利用制御要求を前記電子機器に送信する第１１のステップと、前記返却先端末が、前記権利移譲サーバから受信した認証情報および前記利用制御要求を前記電子機器に送信する第１２のステップと、前記電子機器が、前記認証サーバから受信した認証情報と、前記返却先端末から受信した認証情報と、が一致する場合に、前記返却先端末から受信した利用制御要求に応じて、自己が有するコンテンツを利用不可にする第１３のステップと、をコンピュータに実行させるためのプログラムを提案している。
【００２０】
この発明によれば、まず、第１のステップにおいて、端末が、返却先端末に自己の端末情報を送信するとともに、電子機器に、自己の端末情報と返却先端末の端末情報とを送信する。次に、第２のステップにおいて、電子機器が、端末から受信した端末の端末情報および返却先端末の端末情報と、自己の機器ＩＤと、自己のアドレス情報とを権利移譲サーバに送信する。次に、第３のステップにおいて、返却先端末が、端末から受信した端末の端末情報と、自己の端末情報と、を権利移譲サーバに送信する。次に、第４のステップにおいて、権利移譲サーバが、電子機器から受信した電子機器のアドレス情報を、認証サーバに送信する。次に、第５のステップにおいて、認証サーバが、権利移譲サーバから電子機器のアドレス情報を受信すると、認証情報を発行する。次に、第６のステップにおいて、認証サーバが、第５のステップで発行された認証情報を、権利移譲サーバに送信するとともに、受信したアドレス情報に基づいて、電子機器に送信する。次に、第７のステップにおいて、権利移譲サーバが、電子機器から受信した、端末の端末情報および返却先端末の端末情報が、返却先端末から受信した、端末の端末情報および返却先端末の端末情報と一致するか否かを判定する。次に、第８のステップにおいて、権利移譲サーバが、電子機器から受信した機器ＩＤおよび端末の端末情報が、ユーザ情報管理サーバに対応付けて記憶されているか否かを判定する。次に、第９のステップにおいて、権利移譲サーバが、第７のステップで一致すると判定され、かつ、第８のステップで記憶されていると判定された場合に、コンテンツＩＤと端末情報とを対応付けて記憶する貸出情報記憶手段に記憶されている端末情報のうち、受信した端末の端末情報を削除する。次に、第１０のステップにおいて、権利移譲サーバが、認証サーバから受信した認証情報を返却先端末に送信する。次に、第１１のステップにおいて、権利移譲サーバが、電子機器から受信したアドレス情報に基づいて、利用制御要求を電子機器に送信する。次に、第１２のステップにおいて、返却先端末が、権利移譲サーバから受信した認証情報および利用制御要求を電子機器に送信する。次に、第１２のステップにおいて、電子機器が、認証サーバから受信した認証情報と、返却先端末から受信した認証情報と、が一致する場合に、返却先端末から受信した利用制御要求に応じて、自己が有するコンテンツを利用不可にする。したがって、端末からコンテンツ返却先の返却先端末への通信を契機として、コンテンツの権利を、ユーザからコンテンツ返却先に移譲し、権利を移譲したコンテンツを電子機器において利用できなくする際に、端末と返却先端末との通信により伝送される情報による本人確認と、電子機器がコンテンツを利用不可にする際に行う認証情報による端末確認と、の両方によって、より強固なセキュリティを確保し、コンテンツが不正に利用不可にされることを防止することができる。
【００２１】
（７）本発明は、コンテンツを提供するユーザが利用可能なコンテンツを有する送信側電子機器と、前記コンテンツを提供するユーザが利用し、前記送信側電子機器が有するコンテンツのリストを有する送信端末と、前記コンテンツを受領するユーザが利用する受信側電子機器と、前記コンテンツを受領するユーザが利用する受信端末と、認証情報を発行する認証サーバと、コンテンツサービス事業者が管理する権利移譲サーバと、端末情報と機器ＩＤとを対応付けて記憶するユーザ情報管理サーバと、前記送信端末の端末情報と前記受信端末の端末情報とを対応付けて記憶する許可情報サーバと、コンテンツとコンテンツＩＤとを対応付けて記憶するコンテンツサーバと、を備えるコンテンツ権利移譲システムにおけるコンテンツ権利移譲方法であって、前記送信端末が、前記受信端末に自己の端末情報を送信するとともに、前記送信側電子機器に、前記自己の端末情報と前記受信端末の端末情報とを送信する第１のステップと、前記送信側電子機器が、前記送信端末から受信した当該送信端末の端末情報および前記受信端末の端末情報と、自己の機器ＩＤと、自己のアドレス情報と、を前記権利移譲サーバに送信する第２のステップと、前記受信端末が、前記送信端末から受信した当該送信端末の端末情報と、自己の端末情報と、を前記受信側電子機器に送信する第３のステップを備え、前記受信側電子機器が、前記受信端末から受信した前記送信端末の端末情報および当該受信端末の端末情報を前記権利移譲サーバに送信する第４のステップと、前記権利移譲サーバが、前記送信側電子機器から受信した当該送信側電子機器のアドレス情報を、前記認証サーバに送信する第５のステップと、前記認証サーバが、前記権利移譲サーバから前記送信側電子機器のアドレス情報を受信すると、認証情報を発行する第６のステップと、前記認証サーバが、前記第６のステップで発行された認証情報を、前記権利移譲サーバに送信するとともに、前記受信したアドレス情報に基づいて、前記送信側電子機器に送信する第７のステップと、前記権利移譲サーバが、前記送信側電子機器から受信した、前記送信端末の端末情報および前記受信端末の端末情報が、前記受信側電子機器から受信した、前記送信端末の端末情報および前記受信端末の端末情報と一致するか否かを判定する第８のステップと、前記権利移譲サーバが、前記送信側電子機器から受信した当該送信側電子機器の機器ＩＤおよび前記送信端末の端末情報、かつ、前記受信側電子機器から受信した当該受信側電子機器の機器ＩＤおよび前記受信端末の端末情報が、前記ユーザ情報管理サーバに対応付けて記憶されているか否かを判定する第９のステップと、前記権利移譲サーバが、前記受信した送信端末の端末情報および受信端末の端末情報が、前記許可情報サーバに対応付けて記憶されているか否かを判定する第１０のステップと、前記権利移譲サーバが、前記第８のステップで一致すると判定され、かつ、前記第９のステップおよび第１０のステップで記憶されていると判定された場合に、コンテンツＩＤと端末情報とを対応付けて記憶する貸出情報記憶手段の端末情報を、前記受信した受信端末の端末情報に書き換える第１１のステップと、前記権利移譲サーバが、前記受信した送信端末の端末情報に基づいて、前記コンテンツサーバからコンテンツを取得する第１２のステップと、前記権利移譲サーバが、前記認証サーバから受信した認証情報および前記第１２のステップで取得したコンテンツを、前記受信側電子機器に送信する第１３のステップと、前記受信側電子機器が、前記権利移譲サーバからコンテンツをダウンロードする第１４のステップと、前記受信側電子機器が、前記認証サーバから受信した認証情報および利用制御要求、を前記送信側電子機器に送信する第１５のステップと、前記送信側電子機器が、前記認証サーバから受信した認証情報と、前記受信側電子機器から受信した認証情報とが一致する場合に、前記受信側電子機器から受信した利用制御要求に応じて、自己が有するコンテンツを利用不可にする第１６のステップと、を有することを特徴とするコンテンツ権利移譲方法を提案している。
【００２２】
この発明によれば、まず、第１のステップにおいて、送信端末が、受信端末に自己の端末情報を送信するとともに、送信側電子機器に、自己の端末情報と受信端末の端末情報とを送信する。次に、第２のステップにおいて、送信側電子機器が、送信端末から受信した送信端末の端末情報および受信端末の端末情報と、自己の機器ＩＤと、自己のアドレス情報と、を権利移譲サーバに送信する。次に、第３のステップにおいて、受信端末が、送信端末から受信した送信端末の端末情報と、自己の端末情報と、を受信側電子機器に送信する。次に、第４のステップにおいて、受信側電子機器が、受信端末から受信した送信端末の端末情報および受信端末の端末情報を権利移譲サーバに送信する。次に、第５のステップにおいて、権利移譲サーバが、送信側電子機器から受信した送信側電子機器のアドレス情報を、認証サーバに送信する。次に、第６のステップにおいて、認証サーバが、権利移譲サーバから送信側電子機器のアドレス情報を受信すると、認証情報を発行する。次に、第７のステップにおいて、認証サーバが、第６のステップで発行された認証情報を、権利移譲サーバに送信するとともに、受信したアドレス情報に基づいて、送信側電子機器に送信する。次に、第８のステップにおいて、権利移譲サーバが、送信側電子機器から受信した、送信端末の端末情報および受信端末の端末情報が、受信側電子機器から受信した、送信端末の端末情報および受信端末の端末情報と一致するか否かを判定する。次に、第９のステップにおいて、権利移譲サーバが、送信側電子機器から受信した送信側電子機器の機器ＩＤおよび送信端末の端末情報、かつ、受信側電子機器から受信した受信側電子機器の機器ＩＤおよび受信端末の端末情報が、ユーザ情報管理サーバに対応付けて記憶されているか否かを判定する。次に、第１０のステップにおいて、権利移譲サーバが、受信した送信端末の端末情報および受信端末の端末情報が、許可情報サーバに対応付けて記憶されているか否かを判定する。次に、第１１のステップにおいて、権利移譲サーバが、第８のステップで一致すると判定され、かつ、第９のステップおよび第１０のステップで記憶されていると判定された場合に、コンテンツＩＤと端末情報とを対応付けて記憶する貸出情報記憶手段の端末情報を、受信した受信端末の端末情報に書き換える。次に、第１２のステップにおいて、権利移譲サーバが、受信した送信端末の端末情報に基づいて、コンテンツサーバからコンテンツを取得する。次に、第１３のステップにおいて、権利移譲サーバが、認証サーバから受信した認証情報および第１２のステップで取得したコンテンツを、受信側電子機器に送信する。次に、第１４のステップにおいて、受信側電子機器が、権利移譲サーバからコンテンツをダウンロードする。次に、第１５のステップにおいて、受信側電子機器が、認証サーバから受信した認証情報および利用制御要求、を送信側電子機器に送信する。次に、第１６のステップにおいて、送信側電子機器が、認証サーバから受信した認証情報と、受信側電子機器から受信した認証情報とが一致する場合に、受信側電子機器から受信した利用制御要求に応じて、自己が有するコンテンツを利用不可にする。したがって、送信端末から受信端末への通信を契機として、コンテンツの権利をユーザ間で移譲し、コンテンツを受領するユーザ電子機器である受領側電子機器に、権利が移譲されたコンテンツをダウンロードする際に、送信端末と受信端末との通信で伝送される情報による本人確認と、送信側電子機器がコンテンツを利用不可にする際に行う認証情報による端末確認と、の両方によって、より強固なセキュリティを確保し、コンテンツが不正に利用不可にされることを防止することができる。
【００２３】
（８）本発明は、ユーザが利用可能なコンテンツを有する電子機器と、前記ユーザが利用し、前記電子機器が有するコンテンツのリストを有する端末と、コンテンツの返却先である返却先端末と、認証情報を発行する認証サーバと、コンテンツサービス事業者が管理する権利移譲サーバと、端末情報と機器ＩＤとを対応付けて記憶するユーザ情報管理サーバと、を備えるコンテンツ権利移譲システムにおけるコンテンツ権利移譲方法をコンピュータに実行させるためのプログラムであって、前記送信端末が、前記受信端末に自己の端末情報を送信するとともに、前記送信側電子機器に、前記自己の端末情報と前記受信端末の端末情報とを送信する第１のステップと、前記送信側電子機器が、前記送信端末から受信した当該送信端末の端末情報および前記受信端末の端末情報と、自己の機器ＩＤと、自己のアドレス情報と、を前記権利移譲サーバに送信する第２のステップと、前記受信端末が、前記送信端末から受信した当該送信端末の端末情報と、自己の端末情報と、を前記受信側電子機器に送信する第３のステップを備え、前記受信側電子機器が、前記受信端末から受信した前記送信端末の端末情報および当該受信端末の端末情報を前記権利移譲サーバに送信する第４のステップと、前記権利移譲サーバが、前記送信側電子機器から受信した当該送信側電子機器のアドレス情報を、前記認証サーバに送信する第５のステップと、前記認証サーバが、前記権利移譲サーバから前記送信側電子機器のアドレス情報を受信すると、認証情報を発行する第６のステップと、前記認証サーバが、前記第６のステップで発行された認証情報を、前記権利移譲サーバに送信するとともに、前記受信したアドレス情報に基づいて、前記送信側電子機器に送信する第７のステップと、前記権利移譲サーバが、前記送信側電子機器から受信した、前記送信端末の端末情報および前記受信端末の端末情報が、前記受信側電子機器から受信した、前記送信端末の端末情報および前記受信端末の端末情報と一致するか否かを判定する第８のステップと、前記権利移譲サーバが、前記送信側電子機器から受信した当該送信側電子機器の機器ＩＤおよび前記送信端末の端末情報、かつ、前記受信側電子機器から受信した当該受信側電子機器の機器ＩＤおよび前記受信端末の端末情報が、前記ユーザ情報管理サーバに対応付けて記憶されているか否かを判定する第９のステップと、前記権利移譲サーバが、前記受信した送信端末の端末情報および受信端末の端末情報が、前記許可情報サーバに対応付けて記憶されているか否かを判定する第１０のステップと、前記権利移譲サーバが、前記第８のステップで一致すると判定され、かつ、前記第９のステップおよび第１０のステップで記憶されていると判定された場合に、コンテンツＩＤと端末情報とを対応付けて記憶する貸出情報記憶手段の端末情報を、前記受信した受信端末の端末情報に書き換える第１１のステップと、前記権利移譲サーバが、前記受信した送信端末の端末情報に基づいて、前記コンテンツサーバからコンテンツを取得する第１２のステップと、前記権利移譲サーバが、前記認証サーバから受信した認証情報および前記第１２のステップで取得したコンテンツを、前記受信側電子機器に送信する第１３のステップと、前記受信側電子機器が、前記権利移譲サーバからコンテンツをダウンロードする第１４のステップと、前記受信側電子機器が、前記認証サーバから受信した認証情報および利用制御要求、を前記送信側電子機器に送信する第１５のステップと、前記送信側電子機器が、前記認証サーバから受信した認証情報と、前記受信側電子機器から受信した認証情報とが一致する場合に、前記受信側電子機器から受信した利用制御要求に応じて、自己が有するコンテンツを利用不可にする第１６のステップと、をコンピュータに実行させるためのプログラムを提案している。
【００２４】
この発明によれば、まず、第１のステップにおいて、送信端末が、受信端末に自己の端末情報を送信するとともに、送信側電子機器に、自己の端末情報と受信端末の端末情報とを送信する。次に、第２のステップにおいて、送信側電子機器が、送信端末から受信した送信端末の端末情報および受信端末の端末情報と、自己の機器ＩＤと、自己のアドレス情報と、を権利移譲サーバに送信する。次に、第３のステップにおいて、受信端末が、送信端末から受信した送信端末の端末情報と、自己の端末情報と、を受信側電子機器に送信する。次に、第４のステップにおいて、受信側電子機器が、受信端末から受信した送信端末の端末情報および受信端末の端末情報を権利移譲サーバに送信する。次に、第５のステップにおいて、権利移譲サーバが、送信側電子機器から受信した送信側電子機器のアドレス情報を、認証サーバに送信する。次に、第６のステップにおいて、認証サーバが、権利移譲サーバから送信側電子機器のアドレス情報を受信すると、認証情報を発行する。次に、第７のステップにおいて、認証サーバが、第６のステップで発行された認証情報を、権利移譲サーバに送信するとともに、受信したアドレス情報に基づいて、送信側電子機器に送信する。次に、第８のステップにおいて、権利移譲サーバが、送信側電子機器から受信した、送信端末の端末情報および受信端末の端末情報が、受信側電子機器から受信した、送信端末の端末情報および受信端末の端末情報と一致するか否かを判定する。次に、第９のステップにおいて、権利移譲サーバが、送信側電子機器から受信した送信側電子機器の機器ＩＤおよび送信端末の端末情報、かつ、受信側電子機器から受信した受信側電子機器の機器ＩＤおよび受信端末の端末情報が、ユーザ情報管理サーバに対応付けて記憶されているか否かを判定する。次に、第１０のステップにおいて、権利移譲サーバが、受信した送信端末の端末情報および受信端末の端末情報が、許可情報サーバに対応付けて記憶されているか否かを判定する。次に、第１１のステップにおいて、権利移譲サーバが、第８のステップで一致すると判定され、かつ、第９のステップおよび第１０のステップで記憶されていると判定された場合に、コンテンツＩＤと端末情報とを対応付けて記憶する貸出情報記憶手段の端末情報を、受信した受信端末の端末情報に書き換える。次に、第１２のステップにおいて、権利移譲サーバが、受信した送信端末の端末情報に基づいて、コンテンツサーバからコンテンツを取得する。次に、第１３のステップにおいて、権利移譲サーバが、認証サーバから受信した認証情報および第１２のステップで取得したコンテンツを、受信側電子機器に送信する。次に、第１４のステップにおいて、受信側電子機器が、権利移譲サーバからコンテンツをダウンロードする。次に、第１５のステップにおいて、受信側電子機器が、認証サーバから受信した認証情報および利用制御要求、を送信側電子機器に送信する。次に、第１６のステップにおいて、送信側電子機器が、認証サーバから受信した認証情報と、受信側電子機器から受信した認証情報とが一致する場合に、受信側電子機器から受信した利用制御要求に応じて、自己が有するコンテンツを利用不可にする。したがって、送信端末から受信端末への通信を契機として、コンテンツの権利をユーザ間で移譲し、コンテンツを受領するユーザ電子機器である受領側電子機器に、権利が移譲されたコンテンツをダウンロードする際に、送信端末と受信端末との通信で伝送される情報による本人確認と、送信側電子機器がコンテンツを利用不可にする際に行う認証情報による端末確認と、の両方によって、より強固なセキュリティを確保し、コンテンツが不正に利用不可にされることを防止することができる。
【発明の効果】
【００３１】
本発明によれば、端末が通信を開始したことを契機とした、コンテンツの権利移譲が可能となる。また、ユーザ同士のコンテンツの権利移譲が可能となる。
【図面の簡単な説明】
【００３２】
【図１】第１の実施形態に係る権利移譲システムの構成図である。
【図２】第１の実施形態に係る権利移譲サーバの構成を示す機能ブロック図である。
【図３】第２の実施形態に係る権利移譲システムの構成図である。
【図４】第２の実施形態に係る権利移譲サーバの構成を示す機能ブロック図である。
【図５】第３の実施形態に係る権利移譲システムの構成図である。
【図６】第３の実施形態に係る権利移譲サーバの構成を示す機能ブロック図である。
【図７】第３の実施形態に係る権利移譲システムの処理フロー図である。
【図８】第４の実施形態に係る権利移譲システムの構成図である。
【図９】第４の実施形態に係る権利移譲サーバの構成を示す機能ブロック図である。
【発明を実施するための形態】
【００３３】
以下、本発明の実施形態について図面を用いて、詳細に説明する。なお、以下の実施形態における構成要素は適宜、既存の構成要素などとの置き換えが可能であり、また、他の既存の構成要素との組み合わせを含む様々なバリエーションが可能である。したがって、以下の実施形態の記載をもって、特許請求の範囲に記載された発明の内容を限定するものではない。
【００３４】
＜第１の実施形態＞
図１から図２を用いて、本発明の第１の実施形態について説明する。なお、本実施形態における権利移譲システムは、例えば、コンテンツの購入やレンタルに伴い、コンテンツサービス事業者からユーザへ、コンテンツを利用する権利を移譲するものである。
【００３５】
＜権利移譲システムの構成＞
図１は、第１の実施形態に係る権利移譲システム１の構成図である。図１に示すように、権利移譲システム１は、端末１０、電子機器２０、権利移譲サーバ３０、ユーザ情報管理サーバ４０、およびコンテンツサーバ５０を備える。各装置間は、例えばインターネットなどの通信ネットワークで接続される。なお、端末１０が家庭内にある場合に、端末１０と電子機器２０とは、例えば、イーサネット（登録商標）ワーク、Ｂｌｕｅｔｏｏｔｈ（登録商標）ネットワークやＷｉＦｉ（Ｗｉｒｅｌｅｓｓ  Ｆｉｄｅｌｉｔｙ）無線ネットワークなどの通信ネットワークで接続されてもよい。
【００３６】
第１の実施形態に係る各装置の機能について、図１とともに、図２に示す第１の実施形態に係る権利移譲サーバ３０の構成を示す機能ブロック図を用いて説明する。
【００３７】
端末１０は、ユーザが利用する端末であって、電子機器２０にコンテンツをダウンロードする際の契機となる通信を行う。第１の実施形態において、端末１０は携帯電話機とするが、端末１０は通信機能を有していれば良く、例えば、ＰＨＳ、ＰＤＡ、ゲーム機などであってもよい。
【００３８】
端末１０は、電子機器２０にダウンロードするコンテンツのコンテンツＩＤを取得すると、電子機器２０および権利移譲サーバ３０それぞれに、コンテンツＩＤおよび端末１０の端末情報を送信する。なお、電子機器２０および権利移譲サーバ３０への送信のタイミングは、同時でなくてもよい。また、端末１０は、コンテンツの利用期間の入力をユーザから受け付けた場合には、受け付けたコンテンツの利用期間を権利移譲サーバ３０に送信する。
【００３９】
ここで、コンテンツＩＤとは、コンテンツを識別する情報であって、例えば、コンテンツサービス事業者、コンテンツが対象とする電子機器の機器ＩＤ、コンテンツの種類、コンテンツのジャンルを識別するジャンルＩＤ、コンテンツを識別するユニークなＩＤを含む。
【００４０】
ここで、コンテンツとは、例えば、ウェブページ、ウェブサイト、映画、テレビジョン番組、ビデオプログラム、写真、絵画および図表などの映像データ、ゲームおよびソフトウェアなどである。また、端末情報とは、例えば、端末を識別する端末ＩＤ、端末のユーザを識別するユーザＩＤ、携帯電話端末の電話番号などである。
【００４１】
端末１０は、コンテンツサービス事業者が、インターネット上において、コンテンツの提供を行っているマーケットプレイスや、現実世界においてコンテンツの提供を行っている実店舗などから、コンテンツＩＤを取得する。ここで、コンテンツサービス事業者とは、コンテンツの販売やレンタルなどにより、ユーザにコンテンツを提供する事業者である。また、端末１０は、コンテンツを所有する友人から、コンテンツＩＤを取得してもよい。なお、端末１０は、コンテンツＩＤを、通信ネットワークを介して取得してもよいし、端末１０へのユーザからの入力によって取得してもよい。
【００４２】
電子機器２０は、ユーザがコンテンツをダウンロードする機器であって、例えば、デジタルテレビジョン受像機、セットトップボックス、デジタルフォトフレームなどである。電子機器２０は、コンテンツＩＤおよび端末情報を端末１０から受信すると、コンテンツＩＤ、端末情報、自己の機器ＩＤ、および自己のＩＰアドレスを権利移譲サーバ３０に送信する。ここで、機器ＩＤとは、電子機器を識別するユニークなＩＤであって、例えば、電子機器の種類、電子機器のハードウェア構成、および電子機器を識別するユニークなＩＤを含む。また、端末１０からコンテンツの利用期間を受信した場合には、受信したコンテンツの利用期間も権利移譲サーバ３０に送信する。
【００４３】
ユーザ情報管理サーバ４０は、端末により操作できる電子機器を記憶し、具体的には、端末情報と、機器ＩＤとを対応付けて記憶する。
【００４４】
コンテンツサーバ５０は、コンテンツサービス事業者が管理するサーバであって、コンテンツと、コンテンツＩＤと、を対応付けて記憶する。
【００４５】
権利移譲サーバ３０は、コンテンツサービス事業者が管理し、コンテンツを利用する権利を移譲するサーバである。図２に示すように、権利移譲サーバ３０は、機器照会部３０１、更新部３０２、取得部３０３、および貸出情報記憶部３０４を備える。なお、図示しないが、各部は送受信部を介して端末１０などと情報の送受信を行っている。
【００４６】
機器照会部３０１は、電子機器２０から受信した、機器ＩＤと、端末情報とが対応付けて記憶されているかユーザ情報管理サーバ４０に照会する。なお、機器照会部３０１は、端末１０から受信した端末情報を用いてもよい。照会の結果、記憶されている場合には、電子機器２０が、端末１０により操作ができる電子機器であると判定する。一方、記憶されていない場合には、電子機器２０が、端末１０により操作ができない電子機器であると判定する。電子機器２０が端末１０により操作ができない電子機器である場合には、後述する更新部３０２により貸出情報記憶部３０４が更新されない。この場合、端末１０や電子機器２０にコンテンツの権利移譲ができない旨の通知を行ってもよい。
【００４７】
更新部３０２は、後述する貸出情報記憶部３０４において、電子機器２０から受信したコンテンツＩＤに対応する端末情報を、端末１０から受信した端末情報に書き換える。これにより、コンテンツを利用する権利を移譲することができる。なお、更新部３０２は、端末１０から受信したコンテンツＩＤを用いてもよい。また、端末１０からコンテンツの利用期間を受信した場合に、更新部３０２は、コンテンツＩＤおよび端末情報に基づいて、前記貸出情報記憶部３０４の期間情報を更新する。
【００４８】
取得部３０３は、電子機器２０から受信したコンテンツＩＤに基づいて、コンテンツサーバ５０からコンテンツを取得する。なお、取得部３０３は、端末１０から受信したコンテンツＩＤを用いてもよい。そして、取得部３０３は、電子機器２０から受信した電子機器２０のＩＰアドレスに基づいて、取得したコンテンツを電子機器２０に送信する。
【００４９】
貸出情報記憶部３０４は、コンテンツを利用する権利に関する情報を記憶し、具体的には、コンテンツＩＤ、端末情報、期間情報を対応付けて記憶する。コンテンツを利用する権利に関する情報を記憶する貸出情報記憶部３０４が、コンテンツサービス事業者が管理する権利移譲サーバ３０に備えられることにより、コンテンツを利用する権利をコンテンツサービス事業者が管理することができる。
【００５０】
以上説明したように、本実施形態によれば、端末１０が電子機器２０および権利移譲サーバ３０と通信を開始したことを契機として、コンテンツサービス事業者が管理する権利移譲サーバ３０の貸出情報記憶手段を更新することにより、コンテンツの権利を、ユーザに移譲し、権利が移譲されたコンテンツを電子機器２０がダウンロードすることができる。
【００５１】
＜第２の実施形態＞
図３および図４を用いて、本発明の第２の実施形態について説明する。なお、本実施形態における権利移譲システムは、例えば、コンテンツの購入やレンタルにおいて、コンテンツをダウンロードする際に、端末認証を行う。
【００５２】
＜権利移譲システムの構成＞
図３は、第２の実施形態に係る権利移譲システム２の構成図である。図３に示すように、権利移譲システム２は、端末１０、電子機器２１、権利移譲サーバ３１、ユーザ情報管理サーバ４０、コンテンツサーバ５０、および認証サーバ６０を備える。
【００５３】
第２の実施形態に係る各装置の機能について、図３とともに、図４に示す第２の実施形態に係る権利移譲サーバ３１の構成を示す機能ブロック図を用いて説明する。なお、第１の実施形態と同一の符号を付す構成要素については、同一の機能を有することから、その詳細な説明は省略する。
【００５４】
電子機器２１は、第１の実施形態の電子機器２０が備える機能に加え、コンテンツをダウンロードする際に認証を行う機能を有する。具体的には、電子機器２１は、権利移譲サーバ３１および認証サーバ６０それぞれから認証情報を受信し、両者の認証情報が一致するか否か判断する。判断の結果、一致すると判断した場合には、電子機器２１は、権利移譲サーバ３１からコンテンツをダウンロードする。一致しないと判断した場合には、権利移譲サーバ３１からコンテンツをダウンロードしない。
【００５５】
認証サーバ６０は、権利移譲サーバ３１から電子機器２１のＩＰアドレスを受信すると、認証情報を発行する。そして、認証サーバ６０は、受信したＩＰアドレスに基づいて、発行した認証情報を電子機器２１および権利移譲サーバ３１に送信する。ここで、認証情報は、電子機器２１がコンテンツをダウンロードする際の認証に用いられ、例えば、機器ＩＤとワンタイムパスワードとにより構成される。
【００５６】
権利移譲サーバ３１は、図４に示すように、機器照会部３０１、認証情報要求部３０５、更新部３０２、取得部３０３、ダウンロード要求部３０６、および貸出情報記憶部３０４を備える。
【００５７】
認証情報要求部３０５は、認証サーバ６０に電子機器２１のＩＰアドレスを送信し、認証情報を要求する。そして、認証情報要求部３０５は、認証サーバ６０から認証情報を取得する。
【００５８】
ダウンロード要求部３０６は、認証情報要求部３０５にて取得した認証情報を、取得部３０３にて取得されたコンテンツとともに電子機器２１に送信する。そして、電子機器２１にて、権利移譲サーバ３１および認証サーバ６０それぞれから受信した認証情報が一致すると判断された場合に、送信したコンテンツが電子機器２１にダウンロードされる。
【００５９】
以上説明したように、本実施形態によれば、電子機器２１がコンテンツをダウンロードする際に認証を行うことにより、コンテンツが不正にダウンロードされることを防止することができる。
【００６０】
＜第３の実施形態＞
図５から図７を用いて、本発明の第３の実施形態について説明する。なお、本実施形態における権利移譲システム３は、例えば、コンテンツの返却に伴い、ユーザからコンテンツ返却先に、コンテンツを利用する権利を移譲するものである。
【００６１】
＜権利移譲システムの構成＞
図５は、第３の実施形態に係る権利移譲システム３の構成図である。図５に示すように、第３の実施形態に係る権利移譲システム３は、端末１１、電子機器２２、返却先端末７０、権利移譲サーバ３２、およびユーザ情報管理サーバ４０を備える。
【００６２】
第３の実施形態に係る各装置の機能について、図５とともに、図６に示す第３の実施形態に係る権利移譲サーバ３２の構成を示す機能ブロック図を用いて説明する。なお、第１および第２の実施形態と同一の符号を付す構成要素については、同一の機能を有することから、その詳細な説明は省略する。
【００６３】
端末１１は、通信機能を有する端末であって、ユーザが利用し、コンテンツを返却する際の契機となる通信を行う。第３の実施形態においても第１の実施形態の端末１０と同様に、端末１１は携帯電話機とする。また、端末１１は、電子機器２２が有するコンテンツのリストを、電子機器２２と共有する。これにより、ユーザは、返却するコンテンツを端末１１により指定することができる。
【００６４】
端末１１は、返却先端末７０への通信要求、例えば、返却先端末７０へ電話をかける操作をユーザから受け付けると、返却先端末７０に自己の端末情報（以下、端末情報とする）を送信し、電子機器２２に、端末情報および返却先端末７０の端末情報（以下、返却先端末情報とする）を送信する。なお、電子機器２２への送信のタイミングは、返却先端末７０への送信と同時であってもよい。また、端末１１は、リストに基づいて、返却するコンテンツがユーザから指定された場合には、電子機器２２にコンテンツＩＤを送信する。
【００６５】
電子機器２２は、ユーザがダウンロードしたコンテンツを有する機器である。電子機器２２は、端末情報および返却先端末情報を端末１１から受信すると、端末情報、返却先端末情報、自己の機器ＩＤ、および自己のＩＰアドレスを権利移譲サーバ３２に送信する。なお、端末１１からコンテンツＩＤを受信した場合には、受信したコンテンツＩＤも権利移譲サーバ３２に送信する。また、電子機器２２は、権利移譲サーバ３２から利用制御要求を受信すると、有するコンテンツを利用不可にする。コンテンツを利用不可にするとは、電子機器２２のユーザがコンテンツを利用できなくすることであり、コンテンツを削除することや、コンテンツへのアクセス権限を失くすことである。
【００６６】
返却先端末７０は、通信機能を有する端末であって、コンテンツ返却先が使用する端末である。コンテンツ返却先は、例えば、コンテンツサービス事業者である。端末１１から端末情報を受信すると、端末情報、および返却先端末情報を権利移譲サーバ３２へ送信する。
【００６７】
権利移譲サーバ３２は、コンテンツサービス事業者が管理するサーバであって、コンテンツを利用する権利を移譲するサーバである。図６に示すように、権利移譲サーバ３２は、判定部３０７、機器照会部３０１、削除部３０８、利用制御要求部３０９、および貸出情報記憶部３０４を備える。ただし、図示しないが、各部は送受信部を介して返却先端末７０などと情報の送受信を行っている。
【００６８】
判定部３０７は、返却先端末７０から受信した端末情報および返却先端末情報と、電子機器２２から受信した端末情報および返却先端末情報と、が一致するか否か判定する。判定の結果、一致する場合には、電子機器２２が、端末１１から返却先端末７０に返却要請されたコンテンツを有する機器であると判定する。一方、一致しない場合には、電子機器２２が、返却要請されたコンテンツを有さない機器であると判定する。電子機器２２が返却要請されたコンテンツを有さない機器と判定された場合には、後述する削除部３０８により貸出情報記憶部３０４が更新されない。この場合、端末１１や電子機器２２に、コンテンツが返却できない旨の通知を行ってもよい。
【００６９】
削除部３０８は、貸出情報記憶部３０４に記憶されている端末情報のうち、電子機器２２から受信した端末情報を削除する。これにより、コンテンツを利用する権利を、ユーザからコンテンツ返却先に移譲することができる。なお、削除部３０８は、端末１１から受信した端末情報を用いてもよい。また、貸出情報記憶部３０４において、電子機器２２から受信した端末情報を、返却先端末７０の端末情報に書き換えてもよい。さらに、電子機器２２からコンテンツＩＤを受信した場合には、貸出情報記憶部３０４においてコンテンツＩＤに対応付けられている端末情報のうち、電子機器２２から受信した端末情報を削除する。
【００７０】
利用制御要求部３０９は、電子機器２２から受信したＩＰアドレスに基づいて、利用制御要求を電子機器２２に送信する。
【００７１】
＜権利移譲システムの処理フロー＞
図７は、第３の実施形態に係る権利移譲システムの処理フロー図である。
【００７２】
まず、ステップＳ１において、端末１１は、端末情報を返却先端末７０に送信し、端末情報および返却先端末情報を電子機器２２に送信する。
【００７３】
次に、ステップＳ２において、電子機器２２は、端末情報、返却先端末情報、自己の機器ＩＤ、および自己のＩＰアドレスを、権利移譲サーバ３２に送信する。
【００７４】
次に、ステップＳ３において、返却先端末７０は、端末情報、および返却先端末情報を、権利移譲サーバ３２に送信する。
【００７５】
次にステップＳ４において、権利移譲サーバ３０の判定部３０７は、電子機器２２および返却先端末７０それぞれから受信した、端末情報、および返却先端末情報が一致するか否か判断する。そして、一致する（ＹＥＳ）場合には、ステップＳ５に処理を移し、一致しない（ＮＯ）場合には、処理を終了する。
【００７６】
次にステップＳ５において、権利移譲サーバ３０の機器照会部３０１は、電子機器２０から受信した機器ＩＤと端末情報とが対応付けて記憶されているかユーザ情報管理サーバ４０に照会することにより、電子機器２０が、端末１０により操作ができる電子機器であるか否か判断する。そして、機器照会部３０１が、電子機器２０が、端末１０により操作ができる電子機器であると判断する（ＹＥＳ）場合には、ステップＳ６に処理を移し、電子機器２０が、端末１０により操作ができない電子機器であと判断する（ＮＯ）場合には、処理を終了する。
【００７７】
次に、ステップＳ６において、削除部３０８は、貸出情報記憶部３０４に記憶されている端末情報のうち、電子機器２２から受信した端末情報を削除する。
【００７８】
次に、ステップＳ７において、利用制御要求部３０９は、電子機器２２から受信したＩＰアドレスに基づいて、利用制御要求を電子機器２２に送信する。
【００７９】
次に、ステップＳ８において、電子機器２２は、権利移譲サーバ３２から利用制御要求を受信すると、有するコンテンツを利用不可にする。
【００８０】
以上説明したように、本実施形態によれば、端末１１からコンテンツ返却先の返却先端末７０への通信を契機として、コンテンツサービス事業者が管理する権利移譲サーバ３２の貸出情報記憶部３０４を更新することにより、コンテンツの権利を、ユーザからコンテンツ返却先に移譲することができる。
【００８１】
＜第４の実施形態＞
図８、図９を用いて、本発明の第４の実施形態について説明する。なお、本実施形態における権利移譲システム４は、例えば、ユーザ間のコンテンツレンタルやコンテンツ譲渡に伴い、ユーザ間で、コンテンツを利用する権利およびコンテンツを移譲する。
【００８２】
＜権利移譲システムの構成＞
図８は、第４の実施形態に係る権利移譲システム４の構成図である。図８に示すように、第４の実施形態に係る権利移譲システム４は、送信端末１２、受信端末７１、送信側電子機器２３、受信側電子機器２４、権利移譲サーバ３３、ユーザ情報管理サーバ４０、コンテンツサーバ５０、および許可情報サーバ８０を備える。
【００８３】
第４の実施形態に係る各装置の機能について、図８とともに、図９に示す第４の実施形態に係る権利移譲サーバ３３の構成を示す機能ブロック図を用いて説明する。なお、第１、第２、および第３の実施形態と同一の符号を付す構成要素については、同一の機能を有することから、その詳細な説明は省略する。
【００８４】
送信端末１２は、通信機能を有する端末であって、コンテンツを提供するユーザ（以下、提供ユーザとする）が利用し、ユーザ間でコンテンツのレンタルや譲渡する際の契機となる通信を行う。第４の実施形態においても第１の実施形態の端末１０と同様に、送信端末１２は携帯電話機とする。また、送信端末１２は、送信側電子機器２３が有するコンテンツのリストを、送信側電子機器２３と共有する。これにより、ユーザは、レンタルや譲渡するコンテンツを送信端末１２により指定することができる。
【００８５】
送信端末１２は、受信端末７１への通信要求、例えば、受信端末７１へ電話をかける操作をユーザから受け付けると、受信端末７１に自己の端末情報（以下、送信端末情報とする）を送信し、送信側電子機器２３に、送信端末情報および受信端末７１の端末情報（以下、受信端末情報とする）を送信する。なお、送信側電子機器２３への送信のタイミングは、受信端末７１への送信と同時であってもよい。また、送信端末１２は、リストに基づいて、受信側電子機器２４にレンタルや譲渡するコンテンツが提供ユーザから指定された場合には、送信側電子機器２３にコンテンツＩＤを送信する。
【００８６】
送信側電子機器２３は、提供ユーザがダウンロードしたコンテンツを有する機器である。送信側電子機器２３および後述する受信側電子機器２４は、例えば、デジタルテレビジョン受像機、セットトップボックス、デジタルフォトフレームなどである。また、送信側電子機器２３は、送信端末情報および受信端末情報を送信端末１２から受信すると、送信端末情報、受信端末情報、自己の機器ＩＤ、および自己のＩＰアドレスを権利移譲サーバ３３に送信する。なお、送信端末１２からコンテンツＩＤを受信した場合には、受信したコンテンツＩＤも権利移譲サーバ３３に送信する。
【００８７】
受信端末７１は、通信機能を有する端末であって、コンテンツを受領するユーザ（以下、受領ユーザとする）が利用する端末である。受信端末７１は、送信端末１２から送信端末情報を受信すると、送信端末情報、および受信端末情報を受信側電子機器２４へ送信する。
【００８８】
受信側電子機器２４は、受領ユーザがコンテンツをダウンロードする機器である。受信側電子機器２４は、受信端末７１から送信端末情報および受信端末情報を受信すると、送信端末情報、受信端末情報、自己の機器ＩＤ、および自己のＩＰアドレスを権利移譲サーバ３３へ送信する。
【００８９】
許可情報サーバ８０は、コンテンツのレンタルや譲渡を互いに許可している提供ユーザおよび受領ユーザを記憶し、具体的には、送信端末の端末情報と受信端末の端末情報とを対応付けて記憶する。なお、許可情報サーバ８０は、レンタルや譲渡ができないコンテンツを識別する情報を記憶してもよく、例えば、レンタルや譲渡ができないコンテンツのジャンルＩＤを拒否ジャンルＩＤとして記憶してもよい。
【００９０】
権利移譲サーバ３３は、コンテンツサービス事業者が管理するサーバであって、コンテンツを利用する権利を移譲するサーバである。図９に示すように、権利移譲サーバ３３は、判定部３０７、機器照会部３１０、許可情報照会部３１１、取得部３１２、更新部３１３、利用制御要求部３０９、および貸出情報記憶部３０４を備える。ただし、図示しないが、各部は送受信部を介して送信端末１２などと情報の送受信を行っている。
【００９１】
機器照会部３１０は、送信機器照会部（図示せず）および受信機器照会部（図示せず）を備える。送信機器照会部および受信機器照会部は、第１の実施形態において説明した機器照会部３０１と同一の機能を有するが、後述するように照会に用いる情報が異なる。送信機器照会部は、送信側電子機器２３から受信した、送信側電子機器２３の機器ＩＤと、送信端末情報とが対応付けて記憶されているかユーザ情報管理サーバ４０に記憶されているか否か照会し、送信側電子機器２３が、送信端末１２により操作ができる電子機器であるか否かを判定する。受信機器照会部は、受信側電子機器２４から受信した、受信側電子機器２４の機器ＩＤと、受信端末情報とが対応付けて記憶されているかユーザ情報管理サーバ４０に記憶されているか否か照会し、受信側電子機器２４が、受信端末７１により操作ができる電子機器であるか否かを判定する。
【００９２】
許可情報照会部３１１は、送信側電子機器２３から受信した、送信端末情報と、受信端末情報とが対応付けて記憶されているか許可情報サーバ８０に照会する。照会の結果、記憶されている場合には、送信側電子機器２３と受信側電子機器２４との間のコンテンツのレンタルや譲渡が許可されていると判定する。一方、記憶されていない場合には、送信側電子機器２３と受信側電子機器２４との間のコンテンツのレンタルや譲渡が許可されていないと判定する。この場合、送信側電子機器２３にコンテンツの提供ができない旨や、受信側電子機器２４にコンテンツの受領ができない旨の通知を行ってもよい。
【００９３】
取得部３１２は、送信端末情報に基づいて、貸出情報記憶部３０４からコンテンツＩＤを取得する。そして、取得部３１２は、取得したコンテンツＩＤに基づいて、コンテンツサーバ５０からコンテンツを取得する。なお、送信側電子機器２３からコンテンツＩＤを受信した場合には、取得部３１２は、受信したコンテンツＩＤに基づいて、コンテンツサーバ５０からコンテンツを取得する。そして、取得部３１２は、受信側電子機器２４から受信したＩＰアドレスに基づいて、取得したコンテンツを受信側電子機器２４に送信する。
【００９４】
更新部３１３は、貸出情報記憶部３０４に記憶されている、送信側電子機器２３から受信した送信端末情報を、送信側電子機器２３から受信した受信端末情報に書き換える。なお、更新部３１３は、受信側電子機器２４から受信した送信端末情報および受信端末情報を用いてもよい。これにより、提供ユーザから受領ユーザへ、コンテンツを利用する権利を移譲することができる。また、送信側電子機器２３からコンテンツＩＤを受信した場合には、貸出情報記憶部３０４に記憶されている、送信側電子機器２３から受信した端末情報のうち、受信したコンテンツＩＤに対応付けられている端末情報を受信側電子機器２４から受信した端末情報に書き換える。
【００９５】
以上説明したように、本実施形態によれば、送信端末１２から受信端末７１への通信を契機として、コンテンツサービス事業者が管理する権利移譲サーバの貸出情報記憶手段を更新することにより、コンテンツの権利を、提供ユーザと受領ユーザとの間で移譲し、受領ユーザの受信側電子機器２４に、権利が移譲されたコンテンツをダウンロードすることができる。
【００９６】
なお、コンテンツ権利移譲システムの処理をコンピュータ読み取り可能な記録媒体に記録し、この記録媒体に記録されたプログラムを、コンテンツ権利移譲システムを構成する各機器に読み込ませ、実行することによって本発明のコンテンツ権利移譲システムを実現することができる。ここでいうコンピュータシステムとは、ＯＳや周辺装置などのハードウェアを含む。
【００９７】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置などに格納したコンピュータシステムから、伝送媒体を介して、あるいは、伝送媒体中の伝送波により他のコンピュータシステムに伝送されてもよい。ここで、プログラムを伝送する「伝送媒体」は、インターネットなどのネットワーク（通信網）や電話回線などの通信回線（通信線）のように情報を伝送する機能を有する媒体のことをいう。
【００９８】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００９９】
以上、この発明の実施形態につき、図面を参照して詳述してきたが、具体的な構成はこの実施形態に限られるものではなく、この発明の要旨を逸脱しない範囲の設計なども含まれる。
【０１００】
（変形形態）
（１）第１の実施形態において、端末１０から権利移譲サーバ３０に情報を送信しているが、権利移譲システム１が実店舗の端末を備え、実店舗の端末が権利移譲サーバ３０に情報を送信してもよい。具体的には、実店舗の端末がコンテンツＩＤを取得したことに応じて、端末１０にコンテンツＩＤを送信する。そして、実店舗の端末は、コンテンツＩＤを受信した端末１０から端末情報を受信し、受信した端末情報とコンテンツＩＤとを権利移譲サーバ３０に送信する。
【０１０１】
（２）第３の実施形態において、権利移譲システム３が第２の実施形態で説明した認証サーバ６０、および認証情報要求部３０５を備え、電子機器２２は、返却先端末７０からの要求により、有するコンテンツを利用不可にする。具体的には、権利移譲サーバ３２は、貸出情報記憶部３０４を更新した後、電子機器２２に認証情報を送信する。そして、電子機器２２は、返却先端末７０および認証サーバ６０それぞれから認証情報を受信し、両者の認証情報が一致するか否か判断する。判断の結果、一致すると判断した場合には、電子機器２２は、返却先端末７０から受信した利用制御要求に応じて、有するコンテンツを利用不可にする。これにより、通信により伝送される情報、例えば、通話により音声データによる本人確認と、電子機器２２が、コンテンツを利用不可にする際に行う認証情報による端末確認と、の両方によって、より強固なセキュリティを確保し、コンテンツが不正に利用不可にされることを防止することができる。
【０１０２】
（３）第４の実施形態において、権利移譲システム４が第２の実施形態で説明した認証サーバ６０、および認証情報要求部３０５を備え、送信側電子機器２３は、受信側電子機器２４からの要求により、有するコンテンツを利用不可にする。具体的には、権利移譲サーバ３３は、貸出情報記憶部３０４を更新した後、受信側電子機器２４に認証情報を送信する。そして、送信側電子機器２３は、受信側電子機器２４および認証サーバ６０それぞれから認証情報を受信し、両者の認証情報が一致するか否か判断する。判断の結果、一致すると判断した場合には、送信側電子機器２３は、受信側電子機器２４から受信した利用制御要求に応じて、有するコンテンツを利用不可にする。これにより、通信により伝送される情報、例えば、通話により音声データによる本人確認と、送信側電子機器２３が、コンテンツを利用不可にする際に行う認証情報による端末確認と、の両方によって、より強固なセキュリティを確保し、コンテンツが不正に利用不可にされることを防止することができる。
【０１０３】
なお、各実施形態および変形形態は、適宜組み合わせて用いることもできるが、詳細な説明は省略する。
【符号の説明】
【０１０４】
１０    端末
２０    電子機器
３０    権利移譲サーバ
４０    ユーザ情報管理サーバ
５０    コンテンツサーバ
【図１】
0005524745.tif 000002
【図２】
0005524745.tif 000003
【図３】
0005524745.tif 000004
【図４】
0005524745.tif 000005
【図５】
0005524745.tif 000006
【図６】
0005524745.tif 000007
【図７】
0005524745.tif 000008
【図８】
0005524745.tif 000009
【図９】
0005524745.tif 000010